(57)【要約】【課題】非常に簡単に半透明模様を形成することができ、しかも上記半透明模様を構成する部分を長期にわたって美麗に維持することのできる、優れた半透明模様付成形体の製法と、それによって得られる半透明半透明模様付成形体を提供する。【解決手段】蓋体４に、光沢部１０と、裏面側のアルミニウム薄膜層がレーザ光の断続照射によって微細な間隔で照射除去された半透明部１１とが設けられている。【選択図】図１
2008093897.tif 000002
【特許請求の範囲】
【請求項１】
透明部材からなる成形面と、上記成形面の表面もしくは裏面の少なくとも一部に形成された非透明薄膜層とを有する成形体を準備し、上記非透明薄膜層の少なくとも一部の領域Ａに対し、レーザ光を断続照射しながら走査し、上記領域Ａの非透明薄膜層を微細な間隔で照射除去することにより、上記領域Ａを半透明にすることを特徴とする半透明模様付成形体の製法。
【請求項２】
上記レーザ光の断続照射によって形成される照射除去部が、幅２５〜１００μｍの微細な線状もしくは点状となり、互いに隣り合う照射除去部の間隔が５０〜５００μｍとなるよう設定されている請求項１記載の半透明模様付成形体の製法。
【請求項３】
請求項１記載の製法によって得られる成形体であって、透明部材からなる成形面と、上記成形面の表面もしくは裏面の少なくとも一部に形成された非透明薄膜層とを有し、上記非透明薄膜層の少なくとも一部の領域Ａが、走査されるレーザ光の断続照射によって、微細な間隔で照射除去されて、半透明になっていることを特徴とする半透明模様付成形体。
【請求項４】
上記レーザ光の断続照射によって形成される照射除去部が、幅２５〜１００μｍの微細な線状もしくは点状であり、互いに隣り合う照射除去部の間隔が５０〜５００μｍである請求項３記載の半透明模様付成形体。
【発明の詳細な説明】
【技術分野】
【０００１】
本発明は、成形面の少なくとも一部に半透明模様を有する半透明模様付成形体の製法およびそれによって得られる半透明模様付成形体に関するものである。
【背景技術】
【０００２】
化粧料を収容したコンパクト容器や口紅容器等には、単に機能性だけでなく、見栄えがよい、商品イメージを反映したデザインである、といった意匠性も要求される。このような要求に応える技術として、例えば、透明素材からなる容器の内表面に金属メッキ層による光沢を付与したもの（特許文献１参照）や、容器表面にパール光沢を付与したもの（特許文献２参照）があげられる。また、最近は、メタリック調の光沢を有しながら内側から見ると半透明になっているハーフミラー層を備えた容器（特許文献３参照）も提案されている。
【特許文献１】特開２０００−１２９４４８公報
【特許文献２】特開平１１−９８１号公報
【特許文献３】特開２００３−３１０３４３公報
【発明の開示】
【発明が解決しようとする課題】
【０００３】
ところで、最近、中が透けて見える仕様になっている商品が、「スケルトン仕様」として人気を博しており、化粧料容器においても、蓋全体が着色透明になっていたり、着色層を一部切り欠いて透かし模様を付与したものが多く出回っている。しかし、上記特許文献３においても記載されているように、例えばコンパクト容器の場合、蓋の内側に鏡を取り付けたものが多いため、あからさまに中が透けてみえると、上記鏡の取り付け部が表側に透けて美観を損なうという問題がある。
【０００４】
そこで、ある程度中が透け、軽やかな雰囲気を醸して興趣に富むものでありながら、中がはっきりとは見えない、半透明の模様領域（全面が半透明の場合も「半透明模様」という）を設ける技術について、関心が高まっている。
【０００５】
このような半透明模様は、例えば、成形体を透明プラスチックで成形し、その成形面に、蒸着量を制限する特殊な条件下で金属蒸着を行うことにより得ることができる。また、このようなハーフ蒸着膜を転写層として備えた転写シートを用いて、透明プラスチック成形体の所定面にこれを転写することにより、目的とする半透明模様を得ることができる。
【０００６】
しかしながら、上記ハーフ蒸着膜を得るには、蒸着条件のコントロールが容易でなく、目的とする透明度のものを簡単に得ることができないという問題がある。また、より印象的な模様をつくるために、半透明部分と非透明部分を組み合わせたり、さらには、これらに凹凸模様や着色模様を組み合わせたりする場合、模様付与のための工程数が多くなり、煩雑な手間を要するという問題がある。
【０００７】
本発明は、このような事情に鑑みなされたもので、非常に簡単に半透明模様を形成することができ、しかも上記半透明模様を構成する部分を長期にわたって美麗に維持することのできる、優れた半透明模様付成形体の製法と、それによって得られる半透明半透明模様付成形体の提供をその目的とする。
【課題を解決するための手段】
【０００８】
上記の目的を達成するため、本発明は、透明部材からなる成形面と、上記成形面の表面もしくは裏面の少なくとも一部に形成された非透明薄膜層とを有する成形体を準備し、上記非透明薄膜層の少なくとも一部の領域Ａに対し、レーザ光を断続照射しながら走査し、上記領域Ａの非透明薄膜層を微細な間隔で照射除去することにより、上記領域Ａを半透明にする半透明模様付成形体の製法を第１の要旨とする。
【０００９】
また、本発明は、そのなかでも、特に、上記レーザ光の断続照射によって形成される照射除去部が、幅２５〜１００μｍの微細な線状もしくは点状となり、互いに隣り合う照射除去部の間隔が５０〜５００μｍとなるよう設定されている半透明模様付成形体の製法を第２の要旨とする。
【００１０】
さらに、本発明は、上記第１の要旨である製法によって得られる成形体であって、透明部材からなる成形面と、上記成形面の表面もしくは裏面の少なくとも一部に形成された非透明薄膜層とを有し、上記非透明薄膜層の少なくとも一部の領域Ａが、走査されるレーザ光の断続照射によって、微細な間隔で照射除去されて、半透明になっている半透明模様付成形体を第３の要旨とする。
【００１１】
そして、本発明は、上記レーザ光の断続照射によって形成される照射除去部が、幅２５〜１００μｍの微細な線状もしくは点状であり、互いに隣り合う照射除去部の間隔が５０〜５００μｍである半透明模様付成形体を第４の要旨とする。
【００１２】
なお、本発明において、「透明」、「半透明」、「非透明」の各透明度は、光透過率等の数値で限定されるものではなく、同一平面上に形成されたそれぞれの領域が、互いに、他の領域の透明度と異なると認識される程度に透明度に差があれば足りる。互いの透明度の差によって、意識的に模様が付与されていることが視認されればよいからである。
【発明の効果】
【００１３】
本発明は、本来、一定の領域を凹状に除去加工したり、穴あけ加工するのに用いられていたレーザ光照射を、透明成形体表面（裏面）に形成された非透明薄膜層に対し、微細な間隔で断続的に行うことにより、ごく微細な照射除去部を多数分散形成して、その面を半透明にするようにしたものである。この製法によれば、半透明模様を、求める透明度で、非常に簡単に形成することができる。しかも、レーザ光照射領域を、予め設定しておけば、その半透明模様の形成領域を、高精度で繰り返し再現することができ、作業効率が高い。そして、非透明薄膜層による非透明部と半透明部、さらには、半透明部と、完全に非透明薄膜層を除去した透明部、といった透明度の異なる領域を組み合わせることによって、さまざまな印象の模様を付与することができ、興趣に富むデザインの半透明模様付成形体を得ることができる。
【００１４】
そして、本発明のなかでも、特に、上記レーザ光の断続照射によって形成される照射除去部を、幅２５〜１００μｍの微細な線状もしくは点状とし、互いに隣り合う照射除去部の間隔を５０〜５００μｍとなるよう設定したものは、完全に透明な部分と、完全に非透明な部分との中間の、好ましい透明度の半透明模様を得ることができ、好適である。
【００１５】
また、本発明の製法によって得られる半透明模様付成形体は、長期にわたって、その表面に付与された半透明模様が良好な状態を維持するものであり、付加価値の高い商品となる。しかも、上記半透明模様部分と他の部分に殆ど高低差がなく、手触りがよいという利点を有する。
【発明を実施するための最良の形態】
【００１６】
つぎに、本発明を実施するための最良の形態について説明する。
【００１７】
図１は、本発明を実施するための最良の形態であるコンパクト容器の斜視図であり、図２は、そのＸ−Ｘ′断面図である。これらの図において、１は本体部で、その内側の向かって左側に設けられた凹部２には、ファンデーション等の化粧料が収容保持されるようになっている。また、向かって右側に設けられた凹部３には、化粧料を肌に塗布するためのパフが収容保持されるようになっている。
【００１８】
そして、上記本体部１の上部開口を蓋する蓋体４は、その分解斜視図である図４に示すように、蓋枠体６と、その上面全面に貼着されるホログラム箔７と、上記ホログラム箔７が貼着された蓋枠体６の上面に接合一体化される蓋板８とで構成されている。
【００１９】
上記蓋枠体６の後端部には、下向きにヒンジ部６ａが突設されており、このヒンジ部６ａが本体部１の後端部を係合することにより、図１において鎖線で示すように、蓋体４が上方に開くようになっている。また、上記蓋枠体６の内側面には、鏡５が貼着されている（図２参照）。
【００２０】
上記蓋板８は、透明アクリル樹脂成形体からなる透明部材で構成されており、裏面にアルミニウム薄膜層９を有し表面からみて光沢を有する非透明の光沢部１０と、同じく上記アルミニウム薄膜層９を有し、そのアルミニウム薄膜層９が後述する特殊な方法によって断続的に除去されて半透明に見える半透明部１１の２つの領域が設けられている。そして、上記光沢部１０と半透明部１１にまたがって、正六角錐台形状の大小の凹部と、正六角錐形状の大小の凹部とを組み合わせてなる凹凸模様Ｐが付与されており、この凹凸模様Ｐを構成する凹部のうち、半透明部１１に設けられた比較的大きな正六角錐台形状の凹部内のアルミニウム薄膜層９は除去されずにそのまま残され、小さい凹部Ｐ′は、他の半透明部１１と同様、その凹部内が断続的に除去されて、半透明になっている。
【００２１】
上記半透明部１１は、例えばつぎのようにして得ることができる。すなわち、まず、蓋板８を賦形するための金型を用意する。この金型の、蓋板８の裏面を賦形する側の面には、大小の正六角錐台形状の凹部と正六角錐形状の凹部で構成された凹凸模様を転写するための凹凸部も設けられている。そして、上記金型の、蓋板８の裏面を賦形する側に、アルミニウム箔の転写シートを配置させた状態で金型を閉じ、樹脂材料を射出することにより成形を行う（インモールド成形）。これにより、図３（ａ）に示すように、蓋板８の裏面側へのアルミニウム薄膜層９の一体化と、凹凸模様Ｐが付与された蓋板８の賦形を、同時に行うことができる。ただし、この状態では、凹凸模様Ｐが付与された蓋板８の裏面全体が、アルミニウム薄膜層９で被覆されている。
【００２２】
そこで、図３（ｂ）に示すように、上記アルミニウム薄膜層９のうち、半透明部１１にしようとする領域のアルミニウム薄膜層９を、レーザ光の照射によって断続的に気化除去することにより、上記領域内に、アルミニウム薄膜層９が除去された、微細な照射除去部Ｔ（蓋板８の透明樹脂が露出する透明部分）を緻密な間隔で分散形成し、半透明部１１を得ることができる。ただし、凹凸模様Ｐのうち、比較的大きいものの凹部内のアルミニウム薄膜層９は、美観上残している。
【００２３】
なお、上記のレーザ光の照射には、従来から金属加工等に用いられるＮｄ：ＹＡＧレーザ等を用いることができる。そして、上記アルミニウム薄膜層９等の薄膜層を除去する加工方法、加工条件は、用いるレーザ装置、除去対象となる薄膜の種類等に応じて適宜に選択することができる。
【００２４】
上記レーザ光照射による半透明部１１の形成について、より詳細に説明する。すなわち、通常、レーザ光の照射は、目的とする領域に対し、レーザ光の連続的な照射、もしくは断続的な照射の繰り返しによって、目的とする領域内を完全に凹状に気化除去して凹形状を付与したり切欠き穴を形成したりするものであるが、本発明では、図５に示すように、半透明予定部に対し、レーザ光（矢印Ｌで示す）を断続的に照射しながら、太矢印Ｍで示す方向に走査する。これにより、半透明予定部のアルミニウム薄膜層９が、図６（ａ）に示すように、所定の幅Ｗで、断続的に走査方向に除去されて、多数の微細な照射除去部Ｔが形成される。そして、このレーザ光照射の走査方向を、小ピッチずつずらしながら断続照射を繰り返すことにより、半透明部１１を得ることができる。
【００２５】
ただし、上記レーザ光による照射除去部Ｔは、図６（ａ）に示すような長方形の他、同図（ｂ）に示すような線状であってもよい。また、ごく微小な点々であってもよい。そして、上記半透明部１１が、光沢部１０等の非透明部に比べて、明らかに光透過率が高く、反対側が透けて「半透明」であることが明確に認識できるようにするには、上記照射除去部Ｔの幅Ｗを、２５〜１００μｍに設定し、隣り合う照射除去部Ｔの間隔Ｓを、縦、横等の方向に関係なく、５０〜５００μｍに設定することが好適である。すなわち、上記照射除去部Ｔの幅Ｗおよび互いの間隔Ｓが上記範囲を外れると、レーザ光照射の制御が困難になったり、半透明性が乏しくなったりするおそれがあり、好ましくない。
【００２６】
このようにして得られた半透明部１１を表面側から見ると、図７に示すように、蓋板８の裏面側から付与された大小の正六角錘台形状の凹部からなる凹凸模様Ｐが、あたかも花が並んだような模様になっており、各凹部内のテーパのある６つの側面と底面が、それぞれ裏面のアルミニウム薄膜層９によって光沢が与えられ、しかも各面の光沢面が、それぞれ異なる向きに光を反射するため、興趣に富む。そして、その周囲の部分が、上記凹凸模様Ｐおよび光沢部１０（図１参照）とは全く印象の異なる半透明になっているため、両者の対比によって、光沢部分がより鮮明に見える。
【００２７】
そして、上記半透明部１１が形成された蓋板８は、前記ホログラム箔７が貼着された蓋枠体６と接合一体化されている（図１、図４参照）。なお、上記接合は、上記ホログラム箔７の上面もしくは蓋板８の裏面に、上記半透明部１１と重ならないよう接着剤を塗布したり、接着テープ等を用いることによって行われる。もちろん、両者に係合部を設けて互いに係合させることにより、両者を接合一体化しても差し支えない。
【００２８】
この構成によれば、上記蓋板８の半透明部１１から、その下のホログラム箔７が透けて見え、しかも、半透明部１１に形成された微細な照射除去部Ｔによって、上記ホログラム箔７による虹色の光が微妙な陰影を伴うため、従来にない、美麗な印象を与える。そして、上記半透明部１１の、アルミニウム薄膜層９で被覆された凹凸模様Ｐも、その光沢ある凹部内の反射面によって、非常に立体的な光沢模様となる。一方、光沢部１０は、滑らかな光沢感があり、この光沢面と、上記ホログラム箔７を透かした特殊な半透明部１１の対比によって、非常に興趣に富む外観の蓋体４となる。
【００２９】
そして、上記半透明部１１と光沢部１０とは、透明な蓋板８の裏面側から形成されており、蓋板８の表面自体は、本来の平滑性が維持されているため、これらの模様が経時的に摩耗・損傷したり汚れたりすることがない。また、上記半透明部１１は、レーザ光の照射によって、簡単に形成することができ、大きなコストアップや製造ロットの制約につながりにくいという利点を有する。しかも、半透明部１１の透明度や形成領域のコントロールが容易で、目的の品質のものを、高い精度および高い作業効率で製造することができるという利点を有する。
【００３０】
さらに、上記蓋板８の裏面は、半透明部１１において微細な照射除去部Ｔが多数形成されているものの、その照射除去部Ｔの周囲には、ごく細いアルミニウム薄膜層９が残っているとともに、光沢部１０では、アルミニウム薄膜層９がそのまま形成されており、さらに、ホログラム箔７が貼着された蓋枠体６と接合一体化されているため、これらの各部材の厚みを比較的薄く設定しても、蓋体４の全体としては、高い強度を得ることができ、この部分を、薄くコンパクトなデザインにすることができる。
【００３１】
なお、上記の例において、蓋板８を構成する透明部材は、従来から容器等の成形品に用いられる透明部材であれば、どのようなものであってもよく、アクリル樹脂の他、例えば、ポリスチレン、ＡＢＳ樹脂、ポリカーボネート等があげられる。そして、その透明な成形面の裏面に形成されたアルミニウム薄膜層９を断続的に除去して半透明にするためには、透明でなければならないが、無色である必要はなく、多少着色されていても、反対側が透けて見えるものであれば差し支えはない。
【００３２】
また、上記蓋板８の裏面に一体的に形成される上記アルミニウム薄膜層９は、インモールド成形の他、予め凹凸模様が形成された蓋板８の裏面に、蒸着、スパッタリング、メッキ、ホットスタンプ等によって、上記凹凸模様と一体的にアルミニウム薄膜層９を形成することもできる。
【００３３】
そして、本発明において、蓋板８の裏面に形成される薄膜層は、上記の例のように、アルミニウムに限らず、ステンレス等を用いてもよい。さらに、非透明であれば、金属に限らず、各種のコーティング層や樹脂フィルムを用いてもよい。ただし、強度や薄膜層形成面の平滑性維持の点から、金属薄膜を用いることが好適である。
【００３４】
なお、上記の例では、凹凸模様Ｐを構成する各凹部の形状を、正六角錐形状や正六角錐台形状にしたが、これは、凹部の各側面が互いに向きの異なるテーパ面となり、光の反射が複雑になって立体的な印象が強くなることを考慮したものである。このように、多角錘形状や、多角錘台形状にすると、その凹部各面が、裏面側のアルミニウム薄膜層９によって互いに異なる向きに反射する光沢面となり、興趣に富む凹凸模様Ｐが得られるが、凹凸模様Ｐの形状は、特に限定するものではない。また、このような凹凸模様Ｐ自体がなくてもよい。
【００３５】
例えば、上記の例のように、蓋板８の裏面側から凹部形状を付与するのではなく、表側から凹部形状を付与してもよい。あるいは、図８に示すように、表側に、凸形状による凹凸模様Ｑを付与するようにしても差し支えない。
【００３６】
また、蓋板８に凹凸模様Ｐ（Ｑ）を形成せず、非透明薄膜層で表面もしくは裏面が被覆された非透明部（前記の例の光沢部１０に相当）と、上記の例のようにレーザ光の断続照射によって上記非透明薄膜層が微細に分布除去された半透明部１１と、もともと非透明薄膜層が形成されていないか、完全に非透明薄膜層が除去されて透明部材が露出した透明部とが、適宜の配置で組み合わせられて模様が付与されたものであってもよい。
【００３７】
例えば、図９（ａ）は、蓋板８の表面に、非透明部１０′と半透明部１１とを組み合わせた模様が形成されている例である。他の構成は、前記の例と同様であり、その説明を省略する（以下同じ）。
【００３８】
また、図９（ｂ）は、蓋板８の全面が、半透明部１１で形成されている例である。これものも、半透明模様といえるが、さらに変化をつけたい場合は、この半透明部１１を形成する際、レーザ光照射の断続の間隔を適宜変化させることにより、透明度が場所ごとに異なるようにして、濃淡のあるグラデーション模様をつけることができる。
【００３９】
さらに、図１０（ａ）は、半透明部１１と、完全に透明な透明部２０とを組み合わせた模様が形成されている例、同図（ｂ）は、非透明部１０′と、半透明部１１と、透明部２０とが組み合わせられている例である。これらの模様も、レーザ光照射による非透明薄膜層の除去パターンを、適宜にコントロールすることにより、簡単に得ることができる。
【００４０】
また、前記の例では、半透明部１１から透かして見える下の面（蓋枠体６の上面、図２、図４参照）に、ホログラム箔７を貼着して、これを半透明部１１から透かして見せるようにしているが、蓋枠体６と蓋板８の間に、ホログラム箔７を挟み込むだけであっても差し支えない。あるいは、上記ホログラム箔７を、蓋板８の、アルミニウム薄膜層９が形成された裏面側に、直接貼着するようにしてもよい。この場合、蓋体４を、蓋枠体６と蓋板８の２つの部材に分ける必要がなく、単一の部材にすることができる。
【００４１】
また、ホログラム箔７に代えて、オーロラ調シートやオパール調シートといった、見る角度によって色調の変わる光沢シートを用いるようにしても、同様の効果を得ることができる。さらに、これらの光沢シートに代えて、単なる着色シートを用いてもよい。なお、上記着色シートを貼着するのに代えて、着色塗料を塗工して着色層を形成するようにしてもよい。あるいは、ホログラム箔７や着色シートを用いたり、着色層等を形成したりすることなく、半透明部１１から、その下の部材自体の色や、容器に収容される内容物の色を見せるようにしても差し支えない。
【００４２】
なお、上記ホログラム箔７や着色シートを用いる場合、これらを、蓋板８の裏面側に直接当てるのではなく、一定の空間を隔てて対峙させるようにしてもよい。例えば、図１１に示すように、前記の例と同様、半透明部１１が形成された蓋体４′と、中蓋３０とを有するコンパクト容器等において、この中蓋３０の上に、上記ホログラム箔７や着色シート等を挟むだけでも、前記の例と同様の効果を得ることができる。また、図１２に示すように、上記中蓋３０の上面に、直接ホログラム箔７や着色シートを貼着したり、着色層を形成したりしても差し支えない。
【００４３】
さらに、前記の例では、蓋板８の裏面側にアルミニウム薄膜層９を形成したが、アルミニウム薄膜層９等の非透明薄膜層を、蓋板８の表面側に形成し、この非透明薄膜層に、表面側からレーザ光の断続照射を行い、その少なくもと一部の領域を、半透明部１１にすることもできる。
【００４４】
なお、これらの例は、本発明をコンパクト容器に適用したものであるが、容器の種類や形状は、これに限るものではない。
【図面の簡単な説明】
【００４５】
【図１】本発明の一実施例の斜視図である。
【図２】図１のＸ−Ｘ′断面図である。
【図３】（ａ）は上記実施例における凹凸模様の形成方法の説明図、（ｂ）は上記実施例における半透明部の形成方法の説明図である。
【図４】上記実施例における蓋体の分解斜視図である。
【図５】上記実施例における半透明部の形成方法の詳細説明図である。
【図６】（ａ）は上記実施例における半透明部の説明図、（ｂ）はその変形例の説明図である。
【図７】上記実施例における蓋板の説明図である。
【図８】本発明の他の実施例における蓋板の説明図である。
【図９】（ａ）、（ｂ）は、それぞれ本発明のさらに他の実施例における蓋板の説明図である。
【図１０】（ａ）、（ｂ）は、それぞれ本発明の他の実施例における蓋板の説明図である。
【図１１】本発明の他の実施例の説明図である。
【図１２】本発明のさらに他の実施例の説明図である。
【符号の説明】
【００４６】
４  蓋体
１０  光沢部
１１  半透明部
【図１】
2008093897.tif 000003
【図２】
2008093897.tif 000004
【図３】
2008093897.tif 000005
【図４】
2008093897.tif 000006
【図５】
2008093897.tif 000007
【図６】
2008093897.tif 000008
【図７】
2008093897.tif 000009
【図８】
2008093897.tif 000010
【図９】
2008093897.tif 000011
【図１０】
2008093897.tif 000012
【図１１】
2008093897.tif 000013
【図１２】
2008093897.tif 000014